(57)【要約】      （修正有）【課題】原材料を節約しつつ、製造コストも削減し、また、ジグザグ口紙袋および平滑口紙袋と比較して、美観を備えかつ破れにくい手提げ袋を提供する。【解決手段】製袋紙シートによって包まれた手提げ袋本体１と、手提げ袋本体１に配置された持ち手紐２とを備える手提げ袋において、手提げ袋本体１の上端には口が設けられ、口と連通する収容空間が手提げ袋本体１の内部に設けられ、手提げ袋本体１の下部に袋底部１１が設けられ、口の内壁には、手提げ袋本体１の上端を１８０度下方に折ることによって形成された短小上部口折り１２が設けられ、短小上部口折り１２の幅は２０ｍｍ未満である。【選択図】図１
0003228673.tif 000002
【実用新案登録請求の範囲】
【請求項１】
製袋紙シート（１３）によって包まれた手提げ袋本体（１）と、前記手提げ袋本体（１）に配置された持ち手紐（２）とを備える手提げ袋において、前記手提げ袋本体（１）の上端には口が設けられ、前記口と連通する収容空間が前記手提げ袋本体（１）の内部に設けられ、前記手提げ袋本体（１）の下部に袋底部（１１）が設けられ、前記口の内壁には、前記手提げ袋本体（１）の上端を１８０度下方に折ることによって形成された短小上部口折り（１２）が設けられ、前記短小上部口折り（１２）の幅は２０ｍｍ未満であることを特徴とする手提げ袋。
【請求項２】
前記手提げ袋本体（１）は、袋前面、袋後面、袋左面および袋右面を有し、前記袋前面および前記袋後面は矩形に形成されることを特徴とする請求項１に記載の手提げ袋。
【請求項３】
前記手提げ袋本体（１）の前記袋前面および前記袋後面に接着ステッカ（３）によってそれぞれ配置される２つの持ち手紐（２）があることを特徴とする請求項２に記載の手提げ袋。
【請求項４】
前記袋底部（１１）は、前記手提げ袋本体（１）の下端の噛み合い縁部（１３２）を折って貼ることによって形成されることを特徴とする請求項１に記載の手提げ袋。
【請求項５】
前記短小上部口折り（１２）は、前記手提げ袋本体（１）の前記上端の前記口折り縁部（１３１）を１８０度下方に折ることによって形成されることを特徴とする請求項４に記載の手提げ袋。
【請求項６】
前記口折り縁部（１３１）は接着剤ライン（１４）によって前記手提げ袋本体（１）の前記内壁に固定されることを特徴とする請求項５に記載の手提げ袋。
【請求項７】
前記接着剤ライン（１４）の幅が３ｍｍ未満であることを特徴とする請求項６に記載の手提げ袋。
【請求項８】
前記短小上部口折り（１２）の前記幅は５ｍｍ〜１５ｍｍであることを特徴とする請求項１に記載の手提げ袋。
【請求項９】
前記短小上部口折り（１２）の前記幅は８ｍｍ〜１４ｍｍであることを特徴とする請求項８に記載の手提げ袋。
【考案の詳細な説明】
【技術分野】
【０００１】
本考案は包装の技術分野に関し、特に手提げ袋に関する。
【背景技術】
【０００２】
手提げ袋は、日用必需品の包装として日常生活で一般的に用いられている。手提げ袋は低コストであるだけでなく、紙は自然から得られるために、リサイクル可能かつ再生可能かつ再利用可能な材料であるので環境汚染を引き起こさず、環境保護に資する。
【０００３】
現行の手提げ袋は主に２つの構成を持っており、１つは上部折り口を有する通常の手提げ袋であり、この上部折り口の幅は５０ｍｍを超えるので、製袋紙シートと接着剤ラインを引くための材料とが無駄になる。もう１つはジグザグ口袋および平滑口袋であり、これらは使用時に破れ易く、平滑口を用いると、接触部分で人を傷つける。したがって、上部折り口を有する通常の手提げ袋と比較して製袋紙シートおよび接着剤ライン材料が節約され、製造コストが削減され、破れ易さの点でジグザグ口袋および平滑口袋の欠点を改善することができる手提げ袋の開発が幅広く期待される。
【考案の概要】
【考案が解決しようとする課題】
【０００４】
上記の理由により、本考案は、製造コストが削減され、裂けにくい手提げ袋を提供する。
【課題を解決するための手段】
【０００５】
上記の目的を達成するために、本考案は以下の技術的解決手段を提供する。
製袋紙シートによって包まれた手提げ袋本体と、手提げ袋本体に配置された持ち手紐とを備える手提げ袋であって、手提げ袋本体の上端には口が設けられ、口と連通する収容空間が手提げ袋本体の内部に設けられ、手提げ袋本体の下部に袋底部が設けられ、口の内壁には、手提げ袋本体の上端を１８０度下方に折ることによって形成された短小上部口折りが設けられ、短小上部口折りの幅は２０ｍｍ未満である、手提げ袋。
【０００６】
さらに、手提げ袋本体は、袋前面、袋後面、袋左面および袋右面を有し、袋前面および袋後面は矩形に形成される。
【０００７】
さらにまた、手提げ袋本体の袋前面および袋後面に接着ステッカによってそれぞれ配置される２つの持ち手紐がある。
【０００８】
さらに、袋底部は、手提げ袋本体の下端の噛み合い縁部を折って貼ることによって形成される。
【０００９】
さらにまた、短小上部口折りは、手提げ袋本体の上端の口折り縁部を１８０度下方に折ることによって形成される。
【００１０】
さらにまた、口折り縁部は接着剤ラインによって手提げ袋本体の内壁に固定される。
【００１１】
さらにまた、接着剤ラインの幅が３ｍｍ未満である。
【００１２】
さらに、短小上部口折りの幅は５ｍｍ〜１５ｍｍである。
【００１３】
さらにまた、短小上部口折りの幅は８ｍｍ〜１４ｍｍである。
【００１４】
上記の技術的解決手段から分かるように、本考案の効果は以下の通りである。
１．従来技術と比較すれば、本考案によって提供される手提げ袋の短小上部口折りの幅が５ｍｍ〜１５ｍｍである一方で、通常の上部折り口の幅は５０ｍｍを超えるので、上部折り口を有する通常の紙袋と比較して、本発明によって提供される手提げ袋は製袋紙シートの原材料を節約しつつ、製造コストも削減して処理速度を高める。
【００１５】
２．従来技術と比較すれば、短小上部口折りにより、ジグザグ口紙袋および平滑口紙袋が使用中に破れ易く人体を傷つけるという問題が解決され、上部折り口を有する通常の紙袋の美観を備える効果を奏する。
【図面の簡単な説明】
【００１６】
【図１】本考案の正面図である。
【図２】本考案の手提げ袋本体の展開構成の概略図である。
【考案を実施するための形態】
【００１７】
上述の目的、特徴、および効果に加えて、本考案は他の目的、特徴および効果を有する。以下、図面を参照して本考案をより詳細に説明する。
【００１８】
本考案の実施形態または従来技術の技術的解決手段をより明確に説明するために、実施形態または従来技術の説明に用いられる図面を以下に簡単に紹介する。以下の説明における図面は、本考案の実施形態の一部にすぎないことは明らかである。当業者は、創造的努力を用いずともこれらの図面に基づいて他の図面を得ることができる。
【００１９】
本考案の実施形態
以下、本考案の実施形態の図面を参照して本考案の実施形態の技術的解決手段を明確かつ完全に説明する。説明されている実施形態はすべての実施形態ではなく、本考案の実施形態の一部にすぎないことは明らかである。本考案の実施形態に基づけば、創造的努力を用いずとも当業者によって得られる他のすべての実施形態は本考案の保護範囲に属する。
【００２０】
図１〜図２を参照して、図１に示されている手提げ袋は、製袋紙シート１３によって包まれた手提げ袋本体１と、手提げ袋本体１に配置された持ち手紐２とを備え、手提げ袋本体１の上端には口が設けられ、口と連通する収容空間が手提げ袋本体１の内部に設けられ、手提げ袋本体１の下部に袋底部１１が設けられ、口の内壁には、手提げ袋本体１の上端を１８０度下方に折ることによって形成された短小上部口折り１２が設けられ、短小上部口折り１２の幅は８ｍｍ〜１４ｍｍである。したがって、上部折り口を有する通常の紙袋と比較して、短小上部口折り１２は製袋紙シート１３の原材料を節約しつつ、製造コストも削減する。
【００２１】
図１に示されているように、手提げ袋本体１は、袋前面、袋後面、袋左面および袋右面を有する。袋前面と、隣接する袋左面との間と、袋前面と、隣接する袋右面との間とに折り目がある。袋後面と、隣接する袋左面との間と、袋後面と、隣接する袋右面との間とに折り目がある。袋前面および袋後面は、美観を備える効果を奏するように矩形に形成されている。
【００２２】
手提げ袋本体１の袋前面および袋後面に接着ステッカ３によってそれぞれ配置される２つの持ち手紐２がある。持ち手紐２は円弧状である。持ち手紐２の下端は接着ステッカ３によって袋前面の内壁に固定されたり袋後面の内壁に固定されたりし、これは使用者が物品を持ち運ぶのに便利である。
【００２３】
袋底部１１は、手提げ袋本体１の下端の噛み合い縁部（ｂｉｔｉｎｇ  ｅｄｇｅ）１３２を折って貼ることによって形成される。
【００２４】
図２に示されているように、短小上部口折り１２は、手提げ袋本体１の上端の口折り縁部１３１を１８０度下方に折ることによって形成される。口折り縁部１３１を接着剤ライン１４によって手提げ袋本体１の内壁に固定することで、破れ易く人体を傷つけるジグザグ口紙袋および平滑口紙袋の欠点を克服し、美観を備える効果を手提げ袋に与えることができる。
【００２５】
製袋紙シート１３に接着剤ライン１４が塗布される。接着剤ライン１４は短小上部口折り１の近傍に位置する。口折り縁部１３１を１８０度折り、口折り縁部１３１を接着剤ライン１４によって製袋紙シート１３に固定して取り付ける。
【００２６】
接着剤ライン１４の幅は３ｍｍ未満である。
【００２７】
好ましくは、接着剤ライン１４の幅は１．５ｍｍ〜３ｍｍであり、これにより、短小上部口折り１２をプレスするプロセスで、手提げ袋の通常の開閉に影響する接着剤ライン１４の押し出しが生じないことが保証される。
【００２８】
上記は本考案の好ましい実施形態にすぎず、本考案を限定することを意図していない。当業者向けに言えば、本考案は様々な修正例および変形例を有してもよい。本考案の精神および原理の範囲内でなされる修正、均等置換や改善は本考案の保護範囲に含まれるものとする。
【符号の説明】
【００２９】
１  手提げ袋本体
１１  袋底部
１２  短小上部口折り
１３  製袋紙シート
１３１  口折り縁部
１３２  噛み合い縁部
１４  接着剤帯
２  持ち手紐
３  接着ステッカ
【図１】
0003228673.tif 000003
【図２】
0003228673.tif 000004